(57)【要約】  本発明の実施形態は、手の消毒を促すための装置に関する。本発明の一実施形態において、装置は、消毒剤供給器に結合されてドアを動かすために使用されるアセンブリを備え、それにより、ドアを動かすためのアセンブリの操作時に消毒剤供給器が消毒剤を放出する。他の実施形態において、アセンブリは、ドアをラッチするためにドアに結合されるラッチを備える。ドアを開放するためのラッチアセンブリの操作時に、手指消毒剤がラッチアセンブリからラッチアセンブリを操作しているユーザの手の上へと自動的に放出される。【選択図】  図１
2010529871.tif 000002
【特許請求の範囲】
【請求項１】
手の消毒を促すための装置であって、
ドアを動かすために使用されるアセンブリと、
ドアを動かすための前記アセンブリの操作時に消毒剤を放出するために前記アセンブリに結合される消毒剤供給器と、
を備える装置。
【請求項２】
前記アセンブリがプルハンドルを備える請求項１に記載の装置。
【請求項３】
前記プルハンドルの操作時に消毒剤が前記ハンドルから放出される請求項２に記載の装置。
【請求項４】
前記プルハンドルが、中心チューブと、複数の径方向チューブと、複数のチャンネルとを更に備え、消毒剤が、前記中心チューブから前記径方向チューブを介して前記複数のチャンネルへと結合される請求項３に記載の装置。
【請求項５】
前記複数のチャンネルが透過性発泡体によって覆われる請求項４に記載の装置。
【請求項６】
前記アセンブリがツイストラッチハンドルを備える請求項１に記載の装置。
【請求項７】
前記ツイストラッチハンドルが、前記ツイストラッチハンドル上に消毒剤を保持するための手段を備える請求項６に記載の装置。
【請求項８】
前記手段がトレイを備える請求項７に記載の装置。
【請求項９】
前記手段が透過性発泡体である請求項７に記載の装置。
【請求項１０】
前記アセンブリがプッシュハンドルを備える請求項１に記載の装置。
【請求項１１】
前記プッシュハンドルがプッシュハンドルまたはプッシュバーを備え、消毒剤が前記プッシュボタンまたはプッシュバーの表面へ供給される請求項１０に記載の装置。
【請求項１２】
前記消毒剤供給器が、前記アセンブリが操作されるときに同時に消毒剤を人の手の上に放出する請求項１に記載の装置。
【請求項１３】
前記消毒剤供給器がポンプを備える請求項１に記載の装置。
【請求項１４】
前記アセンブリがドアのラッチを操作するようになっている請求項１に記載の装置。
【請求項１５】
前記消毒剤供給器が消毒剤を収容するリザーバを備える請求項１に記載の装置。
【請求項１６】
前記リザーバがケーシングとカートリッジとを備える請求項１５に記載の装置。
【請求項１７】
前記カートリッジが、ゴム隔膜とシールとを有するキャップを備える請求項１６に記載の装置。
【請求項１８】
前記消毒剤供給器が、前記ケーシング内に前記カートリッジを取り付けるときに前記シールを穿孔するカニューレを備える請求項１７に記載の装置。
【請求項１９】
消毒剤を供給するための装置であって、
ラッチアセンブリと、
前記ラッチアセンブリが操作されるときに消毒剤を供給するために前記ラッチアセンブリに結合される消毒剤供給器と、
を備える装置。
【請求項２０】
消毒剤を供給するための装置であって、
ドアと、
前記ドアに結合され、ハンドルを備えるラッチアセンブリと、
前記ドアを開放するため或いは閉じるために前記ラッチアセンブリが操作されるときに前記ラッチアセンブリのハンドル上に消毒剤を供給するべく前記ラッチアセンブリに結合される消毒剤供給器と、
を備える装置。
【発明の詳細な説明】
【関連出願の相互参照】
【０００１】
[0001]この出願は、２００７年６月５日に出願された米国仮出願第６０／９３３，１１８号の利益を主張し、その内容は参照により組み入れられる。
【技術分野】
【０００２】
[0002]本発明の実施形態は、一般に、適切な手の消毒による病気感染の防止に関し、特に、手の消毒を促すための装置に関する。
【背景技術】
【０００３】
[0003]院内で起こる感染、すなわち、院内感染は、世界中の死亡の主な原因である。すなわち、米国だけで、院内感染は毎年９００００人の死亡をもたらす。多くの院内感染は、自分達の手を適切に消毒しなかった医療スタッフとの接触によって起こることが分かってきた。病院は、職員が全ての患者と接触する前に自分達の手を消毒することを勧めている。水および殺菌石鹸を用いた十分な洗浄および擦り洗いは、病院における手指消毒の伝統的な方法であるが、介護を必要とする患者の数が多いため、適切な手指洗浄のために必要とされる時間は臨床環境においては実行不可能である。
【０００４】
[0004]繰り返しの手指洗浄は皮膚炎も引き起こし、それにより、手が細菌伝染のための良好な媒介物となる。殺菌のゲルおよび発泡体は、石鹸を用いた洗浄と同じくらいに有効で且つ時間をあまり必要としない手指消毒の別の方法を与える。病院におけるこれらの殺菌剤の広範囲に及ぶ使用は、医療スタッフが依然として手指消毒プロトコルに従わないため、院内感染の比率の減少をもたらさなかった。意図的な不順守は順守の比率を下げる１つのファクタであるが、患者間での単なる消毒し忘れが主な原因である可能性が高い。医療従事者が手指洗浄プロトコルの順守を高めれば、院内感染の発生率がかなり減少することは十分に受け入れられる。
【発明の概要】
【発明が解決しようとする課題】
【０００５】
[0005]したがって、当分野においては、手の消毒を促すための装置が必要である。
【課題を解決するための手段】
【０００６】
[0006]本発明の実施形態は、手の消毒を促すための装置に関する。本発明の一実施形態において、本装置は、消毒剤供給器に結合されてドアを動かすために使用されるアセンブリを備え、それにより、ドアを動かすためのアセンブリの操作時に消毒剤供給器が消毒剤を放出する。他の実施形態において、アセンブリは、ドアをラッチするためにドアに結合されるラッチを備える。ドアを開放するためのラッチアセンブリの操作時に、手指消毒剤がラッチアセンブリからラッチアセンブリを操作しているユーザの手の上へと自動的に放出される。
【０００７】
[0007]本発明の前述した特徴が達成されて詳しく理解され得るように、添付図面に示される本発明の実施形態を参照することにより、先に簡単に要約された本発明の更に詳しい説明を行なう。
【図面の簡単な説明】
【０００８】
【図１】ドアに結合される本発明の一実施形態に係る手指消毒装置の斜視図を示している。
【図２】本発明の一実施形態に係るプルハンドルの透視図を示している。
【図３】図２の実施形態の内部のポンプの断平面図を示している。
【図４】図２のプルハンドルの断平面図を示している。
【図５】本発明の他の実施形態に係るツイストラッチハンドルの分解図を示している。
【図６】本発明の他の実施形態に係るツイストラッチハンドルの他の実施形態の斜視図を示している。
【図７】本発明の他の実施形態に係るプッシュラッチアセンブリの切断図を示している。
【図８】本発明の他の実施形態に係るプルハンドルの切断図を示している。
【図９】本発明の一実施形態に係るカートリッジケーシングの斜視図を示している。
【図１０】本発明の一実施形態に係る消毒剤を蓄えるためのカートリッジの断面図を示している。
【発明を実施するための形態】
【０００９】
[0018]図１は、部屋の壁１１４（または、筐体）に対してヒンジ１１２により装着されるドア１００の斜視図を示している。本発明の一実施形態によれば、ドア１００は、手の消毒を促すための装置１０２を備える。装置１０２は、消毒剤供給器１０６に結合されるアセンブリ１０４を備える。アセンブリ１１０は、ハンドル１１６を備えるとともに、幾つかの実施形態では、壁１１４に対してドア１００を開閉するために操作され得るラッチ１１０を備える。消毒剤供給器１０４は、液体またはゲル消毒剤を収容するリザーバ１０８を備え或いは上記リザーバに結合される。消毒剤はアセンブリのハンドル１１６によって供給され、そのため、ドア１００を開閉するためのアセンブリの操作により、消毒剤がユーザの手に供給される。
【００１０】
[0019]図２は、ドア１００に装着されたプルハンドル（引き手）２００（ドア用のラッチを操作してもよい或いは操作しなくてもよいドアを移動させるために使用されるアセンブリの形態）の透視図を示している。この場合、プルハンドル２００は本発明の他の実施形態に係る消毒剤供給器２０２を含む。ハンドル２００は、ドア１００に取り付けられる一対のハンドルスリーブ２１８Ａ、２１８Ｂに対して移動可能に結合される中空Ｃ形状チューブ２２０を備える。供給器２０２は、ポンプ２３４と、消毒剤リザーバ（図示せず）からのチューブ２０４と、分配チューブ２２２と、消毒剤供給チャンネル２２６と、透過性発泡グリップ２２４とを備える。ポンプ２３４は、ハンドルスリーブ２１８Ａの一対のポンプ支柱に装着される。ポンプ２３４は、流体をチューブ２０４からチューブ２２２へ圧送するように編成されるポンプピストン２０８とポンプスプリング２１２とボールバルブ２１４とを備える。チューブ２２２は、図４に関連して後述するチャンネル２２６に対して流体を結合する。消毒剤は、グリップ材料２２４を透過して、ハンドル２２０を操作する手と接触する。透過性グリップの代わりとなるものは、穿孔を備えるハンドル表面である。
【００１１】
[0020]ハンドルスリーブ２１８Ｂに隣接するハンドル２２０内には、スプリング支持体２３２、スプリング２３０、および、スプリングプレート２２８がある。これらの要素は協働してハンドルを内側位置に維持する付勢アセンブリを形成しており、それにより、ハンドルを引くと、付勢力に抗する力が加えられ、これにより、ポンプが消毒剤を圧送し、その後、ハンドルが内側位置に戻される。このように、ハンドルを引く度に、所定量の消毒流体がハンドルからユーザの手へと圧送される。
【００１２】
[0021]図３は、支柱２１６によってスリーブ２１８ａに装着されたポンプ２３４を示す図２の３−３線に沿うプルハンドル２００の断面図を示している。アクチュエータ３００がハンドル２２０に結合されており、それにより、スリーブ２１８Ａに対するハンドル２２０の動きによって、ポンプ３００のピストン２０８が消毒剤をグリップの方へ押し進める。このように、ポンプ２３４は目立たない方法でハンドル内に組み込まれる。
【００１３】
[0022]図４は、図２の４−４線に沿うプルハンドル２００の断面図を示している。消毒剤をハンドルグリップ２２４へ分配するためのプレナム４０４は、中心チューブ４００と、複数の径方向チューブ４０２と、チャンネル２２６とから形成される。消毒剤が（図２のチューブ２２２に結合される）中心チャンネル４００へと圧送されると、上記消毒剤は、“スポーク”４０２へと均等に流れ、チャンネル２２６を介して透過性グリップ２２４へと流れる。
【００１４】
[0023]図５は、消毒剤の圧送を容易にするためにツイストハンドル（ねじり型ないしはひねり型ハンドル）５０２を利用する本発明の他の実施形態に係るアセンブリ５００の分解図を示している。アセンブリ５００は、装着プレート５２２と、ハウジング５０８と、ハンドル５０２とを備える。ハウジング５０８内にはポンプ５３６とポンプアクチュエータ５４２とがある。ポンプアクチュエータ５４２はハンドル５０２をポンプ５３６に結合する。ポンプ５３６はチューブ５３４を介して消毒剤を受ける。ポンプ５３６の出口は、チューブ５１２に結合され、最終的にハンドル５０２に結合される。入口チューブ５３４は、消毒剤リザーバ（図示せず）に結合するために装着プレート５２２の穴５２４に挿通される。
【００１５】
[0024]アクチュエータ５４２はカム５２８とプッシュロッド５０８とを備える。カム５２８は、プッシュロッド５１４を介して一対のポンプアーム５３２に結合される。プッシュロッド５１４は、その第１の端部がピン５３０を使用してアーム５３２に結合される。プッシュロッド５１４は、その第２の端部がピン／スペーサ５１８を介してカムに結合される。カム５２８は、ラッチシャフト５４０と相互作用する中心に位置される開口５１６を備える。ラッチシャフト５４０（一般に、正方形断面を有する）は対応する形状の開口５１６を挿通する。シャフト５４０は、穴５２０を通じて装着プレートから抜け出て、従来のラッチアセンブリ（図示せず）の一部と係合する。シャフト５４０は、ハウジングの穴５１０を介してハンドル５０２に結合する。また、チューブ５１２が穴５１０を挿通する。
【００１６】
[0025]チューブ５１２は消毒剤を消毒剤ポート５０４へ供給する。消毒剤はハンドル５０２上のトレイ５０６へと流れ、そのため、ユーザは、ハンドル５０２をねじるために消毒剤と接触しなければならない。あるいは、ハンドルは、消毒剤をハンドル５０２上に位置決めするためにプレナムと分配チャンネルとを備えてもよい。前述した透過性グリップがハンドル５０２上に位置してもよく、そのような実施形態については図６に関連して以下で説明する。
【００１７】
[0026]作動時、ドアのラッチ外しを容易にするためのハンドル５０２のねじり動作により、ポンプ５３６は、ハンドル５０２のトレイ５０６に対して消毒剤を分配する。その結果、ユーザは、消毒剤を自分の手に受ける。
【００１８】
[0027]図６は、消毒剤の圧送を容易にするためにツイストハンドル６１４を利用する本発明の他の実施形態の斜視図を示している。ソースチューブ６０２は、リザーバ（図示せず）からの消毒剤をハウジング６０４内に位置されるポンプ（図５に示される同じアセンブリ）に結合する。シャフト６０８は、ハンドルの回転をポンプおよびアクチュエータアセンブリの他の部分に結合するのを容易にするためにハンドル６１４に結合される。ポンプからの消毒剤を運ぶチューブ６０６は、ハンドル６１４のグリップ６１０に結合される。ハンドル６１４が透過性発泡体６１２で覆われ、それにより、消毒剤が発泡体を透過するようになっている。ハンドル６１４を把持する度に、ユーザは自分の手に消毒剤を受ける。プレナムおよび有孔ハンドル表面などの他の形態の消毒剤分配も本発明の範囲内である。
【００１９】
[0028]図７はアセンブリ７００の他の形態の断面図を示しており、この場合、ラッチがプッシュパネルまたはプッシュバー７０２によって作動されてもよく、また、プッシュバー７０２の押圧時に消毒剤を供給するために、消毒剤供給器７５０がアセンブリ７００内に組み込まれる。ドアラッチに対するプッシュバーの結合は本発明の別の実施形態を形成する。供給器７５０は消毒剤リザーバ７５２とポンプ７２０とを備える。リザーバ７５２はケーシング７０６と交換可能なカートリッジ７０８とを備える（図１０に関連して以下で更に説明する）。カートリッジ７０８は、キャップ７１４を貫通してカートリッジ７０８内へ延びるカニューレ７１０を介してポンプに結合される。カートリッジ７０８の取り付け時、カニューレ７１０は、隔膜７１６を穿孔して開口７１２を消毒剤中に位置させる。開口７１２は消毒剤をチューブ７５４に結合し、チューブ７５４は消毒剤をポンプ７２０へと運ぶ。ポンプ７１８は、ボールバルブ７１８と、スプリング７２４と、ピストン７２６とを備える。ピストン７２６がバー７０２に結合され、それにより、バー７０２が押圧されると、ポンプがチューブ７２２を通じて流体をバーまたはボタン７０２の表面の出口７２８へと押し進める。バーは、その動きがガイドピン７３０によって案内される。
【００２０】
[0029]作動時には、ユーザがバーまたはボタン７０２を押圧して、ポンプが作動され、消毒剤の流れが出口７２８へと供給される。消毒剤は、ドアを移動させるためにバーまたはボタンを押す人の手に塗布される。ドアのためのアクチュエータは、身体障害者用ドア開放具の場合のように離れていてもよく、あるいは、近くにあって供給器７５０の近傍のバーの一部分に組み込まれてもよい。
【００２１】
[0030]図８はアセンブリ８００の他の形態の断面図を示しており、この場合、ラッチがプルパネル８０６によって作動されてもよく、また、プルパネル８０６の引き寄せ時に消毒剤を供給するために、消毒剤供給器８５０がアセンブリ８００内に組み込まれる。ラッチに対するアセンブリ８００の結合は本発明の別の実施形態を形成する。供給器８５０は消毒剤リザーバ７５２とポンプ８０８とを備える。リザーバ７５２は、先に説明され且つ図１０に関連して以下で更に説明されるリザーバ７５２にほぼ類似する。一旦取り付けられると、開口７１２は消毒剤をチューブ８１８に結合し、チューブ８１８は消毒剤をポンプ８０８へと運ぶ。ポンプ８０８は、ボールバルブ８１６と、スプリング８１２と、ピストン８１０とを備える。ピストン８１０がパネル８０６に結合され、それにより、パネル８０６を引くと、ポンプ８０８は、プルパネル８０６の近傍に位置される出口ノズル８１４を通じて流体を押し進める。プルパネルは、その動きが枢軸８０４によって案内される。
【００２２】
[0031]作動時には、ユーザがパネル８０６を引いて、ポンプ８０８が作動され、消毒剤の流れが出口ノズル８１４へと供給される。消毒剤は、ドアを移動させるためにパネルを引く人の手に塗布される。ドアのためのアクチュエータは、身体障害者用ドア開放具の場合のように離れていてもよく、あるいは、近くにあって供給器８５０の近傍のパネルの一部分に組み込まれてもよい。
【００２３】
[0032]図９はリザーバ７５０の一実施形態の斜視図を示している。リザーバは、ケーシング７０８と、消毒剤を収容するカートリッジ７０６とを備える。ケーシングは、ラッチ９０２と、ラッチ解放ボタン９０４、および、ヒンジ９０６とを備える。ラッチ解放ボタン９０４を押圧すると、ラッチが解放されて、外側ケーシング７０８Ａを内側ケーシング７０８Ｂから離間させるように回動させることができ、それにより、カートリッジ７０６へのアクセスが容易になる。このようにすれば、カートリッジ７０６を容易に交換することができる。ケーシングは、消毒剤カートリッジが空であるかどうかをチェックできるように観察ポートを有していてもよい。ヒンジおよびラッチがケーシングの上端および下端に示されているが、他の実施形態では、ケーシングが上端または側面に沿って蝶着されてもよく、また、ラッチが使用されてもよく或いは使用されなくてもよい。
【００２４】
[0033]図１０は、前述した消毒を促すための装置に消毒剤源を与えるためのカートリッジ７０６を示している。カートリッジ７０６は容器１０００とキャップ１００４とを備える。容器１０００は、液体またはゲルを収容できるボトルまたはバッグである。容器は、ネジ１００２によって取り囲まれる開口１０１２を有する。キャップはネジ付き環状スロットを備え、この場合、上記ネジが容器１０００のネジと結合する。キャップ１００４はゴム隔膜１０１４とシール１０１０とを更に備える。シール１０１０は、消毒剤が無菌環境内に維持されるようにする。また、シールは、カートリッジの開口が下方を向くときに消毒剤を保持する。シール１０１０は、カートリッジ７０６がケーシング（図９参照）に取り付けられるときにカニューレによって不可逆的に貫通されて開放される。
【００２５】
[0034]以上の説明は、手の消毒を促すための装置を組み込むことができる物体の一例として部屋のドアを使用したが、当業者であれば分かるように、本発明を組み込むことにより他のドアまたは可動物体が利益を享受し得る。例えば、机の引き出し、ファイル用引き出し、キャビネットドア、または、タンスの引き出し、あるいは、様々な人によって繰り返し触れられて移動される任意の他の物体が手の消毒を促すために本装置を利用できる。一般的に言えば、本装置は、ドアまたは他の物体のための任意の形態のハンドルに組み込むことができる。そのような装置は、ラッチアセンブリを含んでいてもよく或いは含んでいなくてもよい。
【００２６】
[0035]以上は本発明の図示の実施形態に関するものであるが、本発明の基本的範囲から逸脱することなく本発明の他の更なる実施形態が考え出されてもよく、また、本発明の範囲は以下の請求項によって決定される。
【図１】
2010529871.tif 000003
【図２】
2010529871.tif 000004
【図３】
2010529871.tif 000005
【図４】
2010529871.tif 000006
【図５】
2010529871.tif 000007
【図６】
2010529871.tif 000008
【図７】
2010529871.tif 000009
【図８】
2010529871.tif 000010
【図９】
2010529871.tif 000011
【図１０】
2010529871.tif 000012
【国際調査報告】
2010529871.tif 000013
2010529871.tif 000014